(57)【要約】      （修正有）【課題】本発明は、膜沸騰プロセスを使用して、多孔性基材の緻密化を改良する多孔性製品を緻密化する装置及び方法を提供する。【解決手段】フライスカッター本体３０２が第１の端部３２４と反対側の第２の端部３０４とを備える、材料のフライス加工のための装置および方法。第１の端部は回転可能なスピンドルに接続されており、第２の端部は少なくとも１つの切れ刃３０７、３０９を備えている。フライスカッター本体は長手方向軸を画定し、軸方向凹部３１４を備えており、少なくとも１つの質量要素３１６、３１８、が凹部内に配置される。装置の固有振動数の調整のため装置内に含まれる調整部材の使用によって、フライスカッター本体に対する質量要素の軸方向位置が調整される。装置内に含まれるロック部材の使用によって質量要素がフライスカッター本体に対して軸方向にロックされ、フライス作業のために装置の固有振動数が最適化される。【選択図】図３
2010269444.tif 000002
【特許請求の範囲】
【請求項１】
材料のフライス加工のための装置であって、
第１の端部（２０４、３２４、４２４、５０６、６０４）と反対側の第２の端部（２０６、３０４、４１１、５０８、６０６）とを有するフライスカッター本体（２０２、３０２、４０２、５０２、６０２）を備え、フライスカッター本体（２０２、３０２、４０２、５０２、６０２）が第１の端部（２０４、３２４、４２４、５０６、６０４）で回転可能なスピンドル（２０８）またはホルダと接続可能であり、第２の端部（２０６、３０４、４１１、５０８、６０６）で少なくとも１つの切れ刃（２１３、２１５、３０７、３０９）または少なくとも１つの切れ刃（２１３、２１５、３０７、３０９）を有する少なくとも１つのフライスインサート（２１４、３１０、４１８、５１４、６１２）を装着するための装着部材（２１２、３０６、４１４、５１０、６０８）を備えており、
フライスカッター本体（２０２、３０２、４０２、５０２、６０２）が第１および第２の端部（２０４、３２４、４２４、５０６、６０４、２０６、３０４、４１１、５０８、６０６）を通じて延びる長手方向軸（ｘ−ｘ）を画定し、軸方向凹部（２１６、３１４、４０４、５０４、６１６）と、凹部（２１６、３１４、４０４、５０４、６１６）内に配置された少なくとも１つの質量要素（２１８、３１６、３１８、３２０、４２２、５２２、６１８）とを備えており、
質量要素（２１８、３１６、３１８、３２０、４２２、５２２、６１８）は、フライスカッター本体（２０２、３０２、４０２、５０２、６０２）に対する質量要素（２１８、３１６、３１８、３２０、４２２、５２２、６１８）の軸方向位置を調整し、それによって装置の固有振動数を調整するため、装置内に含まれる調整部材によってフライスカッター本体（２０２、３０２、４０２、５０２、６０２）に対して軸方向に調整可能であり、
質量要素（２１８、３１６、３１８、３２０、４２２、５２２、６１８）が、フライス作業のために装置の固有振動数を最適化するため、フライス作業の際にフライスカッター本体（２０２、３０２、４０２、５０２、６０２）に対するその軸方向移動が防止されるように、質量要素（２１８、３１６、３１８、３２０、４２２、５２２、６１８）の軸方向ロックのために装置内に含まれるロック部材によって、調整された位置でフライスカッター本体（２０２、３０２、４０２、５０２、６０２）に対して軸方向にロック可能であることを特徴とする装置。
【請求項２】
凹部が２つ以上の質量要素（２１８、３１６、３１８、３２０、４２２、５２２、６１８）を受け入れるのに適しており、各質量要素（２１８、３１６、３１８、３２０、４２２、５２２、６１８）が、調整部材およびロック部材によって軸方向に調整可能であり、かつ、軸方向にロック可能であることとを特徴とする、請求項１に記載の装置。
【請求項３】
個々のの質量要素（２１８、３１６、３１８、３２０、４２２、５２２、６１８）が凹部（２１６、３１４、４０４、５０４、６１６）内に交換可能に配置されていることを特徴とする、請求項１または２に記載の装置。
【請求項４】
個々の質量要素（２１８、３１６、３１８、３２０、４２２、５２２、６１８）が、フライスカッター本体（２０２、３０２、４０２、５０２、６０２）に対するその半径方向移動が防止されるように、質量要素を半径方向にロックするため、装置内に含まれるロック部材によってフライスカッター本体（２０２、３０２、４０２、５０２、６０２）に対して半径方向にロック可能であることを特徴とする、請求項１〜３の何れか一項に記載の装置。
【請求項５】
凹部が軸方向穴（２１６、３１４、４０４、５０４、６１６）を包含することを特徴とする、請求項１〜４の何れか一項に記載の装置。
【請求項６】
軸方向穴（２１６、３１４、４０４、５０４、６１６）が、個々の質量要素（２１８、３１６、３１８、３２０、４２２、５２２、６１８）を出し入れするための第１または第２の端部（２０４、３２４、４２４、５０６、６０４、２０６、３０４、４１１、５０８、６０６）の開口を備えていることを特徴とする、請求項５に記載の装置。
【請求項７】
調整部材が、質量要素（６１８）と一方の端部（６０４、６０６）との間の軸方向穴（６１６）内に配置され反対側の端部（６０４、６０６）に向かって質量要素（６１８）を駆動するのに適した駆動部材と、反対側の端部（６０４、６０６）から質量要素（６１８）を駆動するため、反対側の端部（６０４、６０６）と質量要素（６１８）との間の軸方向穴（６１６）の空間（６２３）を加圧するのに適した加圧部材とを備えることを特徴とする、請求項５または６に記載の装置。
【請求項８】
加圧部材が液体（６２４）によって軸方向穴（６１６）を加圧するのに適していることを特徴とする、請求項７に記載の装置。
【請求項９】
駆動部材が第２の端部（６０６）と質量要素（６１８）との間に配置されており、加圧部材が質量要素（６１８）と第１の端部（６０４）との間の軸方向穴（６１６）の空間（６２３）を加圧するのに適していることを特徴とする、請求項７または８に記載の装置。
【請求項１０】
調整部材が、フライスカッター本体（２０２、３０２、４０２、５０２）内で固定され軸方向にロックされる第１のねじ付き部材（３３４、４０６、５１８）と、質量要素（３１６、３１８、３２０、４２２、５２２）と共にフライスカッター本体（２０２、３０２、４０２、５０２）に対して軸方向に移動可能な第２のねじ付き部材（３３６、４０８、５２０）とを備え、第１および第２のねじ付き部材（３３４、４０６、５１８、３３６、４０８、５２０）は互いに係合し、それらの協働によって質量要素（３１６、３１８、３２０、４２２、５２２）はフライスカッター本体（２０２、３０２、４０２、５０２）に対して軸方向に移動することを特徴とする、請求項１〜６の何れか一項に記載の装置。
【請求項１１】
調整部材が凹部（３１４）内で軸方向に延びるバー（３２８）を備え、バー（３２８）が、第１のねじ付き部材（３３４）を備え、フライスカッター本体（３０２）内に回転可能に固定されており、フライスカッター本体（３０２）に対して軸方向に回転可能であることを特徴とする、請求項１０に記載の装置。
【請求項１２】
凹部（４０４、５０４）の内壁が第１のねじ付き部材（４０６、５１８）を備えていることを特徴とする、請求項１０に記載の装置。
【請求項１３】
材料のフライス加工のための方法であって、
フライスカッター本体（２０２、３０２、４０２、５０２、６０２）が第１の端部（２０４、３２４、４２４、５０６、６０４）と反対側の第２の端部（２０６、３０４、４１１、５０８、６０６）とを備え、第１の端部（２０４、３２４、４２４、５０６、６０４）で回転可能なスピンドル（２０８）またはホルダと接続可能であり、第２の端部（２０６、３０４、４１１、５０８、６０６）が少なくとも１つの切れ刃または少なくとも１つの切れ刃を有する少なくとも１つのフライスインサートを装着するための装着部材を備えており、
フライスカッター本体（２０２、３０２、４０２、５０２、６０２）が、第１および第２の端部（２０４、３２４、４２４、５０６、６０４、２０６、３０４、４１１、５０８、６０６）を通じて延びる長手方向軸（ｘ−ｘ）を画定し、軸方向凹部（２１６、３１４、４０４、５０４、６１６）を備えており、
前記方法が、
少なくとも１つの質量要素（２１８、３１６、３１８、３２０、４２２、５２２、６１８）を凹部内に配置するステップと、
装置の固有振動数の調整のため装置内に含まれる調整部材によって、質量要素（２１８、３１６、３１８、３２０、４２２、５２２、６１８）の軸方向位置をフライスカッター本体（２０２、３０２、４０２、５０２、６０２）に対して調整するステップと、
質量要素（２１８、３１６、３１８、３２０、４２２、５２２、６１８）を、装置内に含まれるロック部材によって調整された位置でフライスカッター本体（２０２、３０２、４０２、５０２、６０２）に対して軸方向にロックするステップであって、それによって、フライス作業の際、フライスカッター本体（２０２、３０２、４０２、５０２、６０２）に対する質量要素（２１８、３１６、３１８、３２０、４２２、５２２、６１８）の軸方向移動が防止され、フライス作業のために装置の固有振動数が最適化されるステップと、を備える方法。
【請求項１４】
２つ以上の質量要素（２１８、３１６、３１８、３２０、４２２、５２２、６１８）が凹部内に配置されることと、各質量要素の軸方向位置がフライスカッター本体（２０２、３０２、４０２、５０２、６０２）に対して調整されることと、各質量要素（２１８、３１６、３１８、３２０、４２２、５２２、６１８）が調整された位置でフライスカッター本体（２０２、３０２、４０２、５０２、６０２）に対してロックされることとを特徴とする、請求項１３に記載の方法。
【請求項１５】
個々の質量要素（２１８、３１６、３１８、３２０、４２２、５２２、６１８）が凹部（２１６、３１４、４０４、５０４、６１６）内に交換可能に配置されることを特徴とする、請求項１３または１４に記載の方法。
【請求項１６】
個々の質量要素（２１８、３１６、３１８、３２０、４２２、５２２、６１８）が、フライスカッター本体（２０２、３０２、４０２、５０２、６０２）に対するその半径方向移動が防止されるように、装置内に含まれるロック部材によってフライスカッター本体（２０２、３０２、４０２、５０２、６０２）に対して半径方向にロックされることを特徴とする、請求項１３〜１５の何れか一項に記載の方法。
【請求項１７】
少なくとも１つの質量要素（２１８、３１６、３１８、３２０、４２２、５２２、６１８）がフライス作業のため装置の固有振動数の最適な調整が得られるような質量を形成するようにされ、個々の質量要素（２１８、３１６、３１８、３２０、４２２、５２２、６１８）の軸方向位置がフライス作業のため装置の固有振動数の最適な調整が得られるような位置に調整されることを特徴とする、請求項１３〜１６の何れか一項に記載の方法。
【発明の詳細な説明】
【技術分野】
【０００１】
本発明は、例えば、チタン、アルミニウム、鋳物または別の材料といった材料のフライス加工のための方法および装置に関し、フライスカッター本体は、第１の端部と反対側の第２の端部とを備え、第１の端部で回転可能なスピンドルまたはホルダに接続可能であり、第２の端部で少なくとも１つの切れ刃または少なくとも１つの切れ刃を有する少なくとも１つのフライスインサートを装着するための装着部材を備えている。フライスカッター本体は、第１および第２の端部を通じて延びる長手方向軸を画定し、軸方向凹部と凹部内に配置された少なくとも１つの質量要素とを備えている。
【背景技術】
【０００２】
フライス加工においては、フライス加工の性能は主として、機械、機械に装着された回転可能なスピンドルまたはホルダ、およびスピンドルに接続され１つ以上の刃先を有するフライスカッター本体を備える組立体の複合固有振動数によって決定される。切れ刃はフライスカッター本体と一体でもよく、あるいはフライスカッター本体は、１つ以上の切れ刃を有した１つ以上の交換可能なフライスインサートを備えている。細長いフライスカッター本体は、特に大きな突出長さで装着された場合、加工物のフライス加工された表面上の波形として現れうる、いわゆるびびりを原因として、フライス加工された材料表面に不良または不正確な仕上げ面を発生する傾向がある。
【０００３】
個々のスピンドル速度、すなわち、スピンドルの単位時間毎の回転数に対して、限界軸方向切削深さが存在し、切削深さがこの限界軸方向切削深さより大きい場合、発生する振動が大きすぎて安定なフライス作業を実行できなくなる。スピンドルの速度を変更すると、限界軸方向切削深さも変化する。したがって、安定性の問題が回避される軸方向切削深さとスピンドル速度の組み合わせを選択することが重要である。しかし、問題は、機械の速度制御の制限によることがあり、かつ／または切削速度を増大すると切削ゾーンの温度が上昇し工具の摩耗を早めることがあるため、スピンドル速度を変更して安定性の問題を回避するのが必ずしも可能ではないことである。
【０００４】
従来技術には、ドリル加工、旋削加工およびフライス加工といった切削作業におけるびびり振動および安定性の問題を解決しようとしたいくつかの解決法が存在する。
【０００５】
特許文献１は、例えば、フライス加工の際に発生する振動を抑制する制振システムを開示しており、そこでは、フライスインサートが装着される細長い工具本体は、制振質量が配置される軸方向穴を備えている。制振質量は弾性Ｏリングによって懸垂(suspended)されており、制振システムの調整は、Ｏリングにかかる圧力を変化させることによって行われる。
【０００６】
特許文献２は、リング型の弾性要素の使用によって制振質量が懸垂される軸方向中心穴を有したドリル本体を備えるドリル加工のためのシステムを開示しており、そこでは、制振質量は振動してシステムの振動を抑制することを意図している。
【０００７】
特許文献３は、制振質量が弾性Ｏリングによって懸垂されるキャビティを備えたドリル本体を開示しており、ドリル本体に対する制振質量の移動によってドリル本体の振動が抑制される。
【０００８】
特許文献４は、ドリル本体内に配置された軸方向穴に収容され、不要な振動を抑制するため弾性ゴムリングによって懸垂される制振質量を備えるドリル本体のための制振装置を開示する。制振は、ゴムリングにかかる圧力を調整することによって行われる。
【０００９】
特許文献５は、切削工具系におけるびびり振動を制御する方法を開示しており、そこでは系の固有振動数が、圧電材料、電気粘性流体、正弦波形の電界および／または平方波形の信号によって変調される。
【００１０】
特許文献６は、切削工具またはスピンドルに接触する回転制振質量を適用し、切削工具またはスピンドルに沿って制振質量を連続して移動させ、接触圧力を変えることによって系の固有振動数を変化させてびびり振動を抑える、例えばフライスカッターのびびり振動を抑制する方法を開示する。
【００１１】
特許文献７は、切削工具の振動を減少させるシステムを開示しており、そこでは切削工具を装着された本体は、制振質量が弾性リングによって移動可能に懸垂されている軸方向キャビティを備えている。
【００１２】
特許文献８は、工具系におけるびびり振動を制振する方法を開示しており、そこではホルダの固有振動数を調整するため較正重量が系の中の工具ホルダに取り付けられている。
【００１３】
特許文献９は、ドリル加工の際の振動を制振するシステムを開示しており、そこではドリル本体は、１組の制振質量がリング型の弾性制振要素によって懸垂される中心軸方向穴を有する。
【００１４】
特許文献１０は、振動を制振する構造を開示しており、そこではドリル本体は、１組の制振質量が、キャビティ内で軸方向に延びるバーによって移動可能に懸垂される軸方向キャビティを有する。
【００１５】
特許文献１１は、切削工具系におけるびびり振動を減少させる装置を開示しており、そこではホルダに装着された本体は軸方向キャビティを備えており、キャビティ内に配置された制振質量は弾性要素によって移動可能に懸垂されている。
【００１６】
しかし、上記の方法および装置は、フライス加工における安定性の問題と振動の問題とを効率的に克服する十分に柔軟で効率的な解決法を提供しない。
【先行技術文献】
【特許文献】
【００１７】
【特許文献１】米国特許第５，７００，１１６号明細書
【特許文献２】米国特許第３，４４７，４０２号明細書
【特許文献３】米国特許第３，７７４，７３０号明細書
【特許文献４】米国特許第３，８３８，９３６号明細書
【特許文献５】米国特許第５，９５７，０１６号明細書
【特許文献６】米国特許第４，０４７，４６９号明細書
【特許文献７】米国特許出願公開第２００６／０２９１９７３号明細書
【特許文献８】国際特許出願公開第ＷＯ２００６／０１００９３号パンフレット
【特許文献９】米国特許第３，５５９，５１２号明細書
【特許文献１０】米国特許第３，９３８，６２６号明細書
【特許文献１１】米国特許第５，１７０，１０３号明細書
【発明の概要】
【発明が解決しようとする課題】
【００１８】
したがって、本発明の目的は、振動の問題が回避または大幅に緩和される、チタン、アルミニウム、鋳物または別の材料といった材料の改良されたより効率的なフライス加工を提供することである。
【課題を解決するための手段】
【００１９】
本発明の上記の目的は、添付の請求項１に記載の装置を提供し、かつ添付の請求項１３に記載の方法を提供することによって達成される。
【００２０】
図１および詳細な説明中の付随する説明に見られるように、ある組み立てられたフライス加工システムの限界軸方向切削深さは、いくつかの安定性極大値を示す安定性図によって記載できるが、そこでは、安定性の問題を回避するためには軸方向切削深さとスピンドル速度の組み合わせはグラフの曲線の下にあるべきである。スピンドル速度に対する制限がある場合、本発明者は、安定性極大部を移動させることによって、スピンドル速度を変更する必要なしに限界軸方向切削深さを増大でき、それによって安定性の問題なしにより効率的なフライス加工が達成されることを発見した。また、スピンドル速度が高いほど安定性極大部は高くかつ幅広くなるので、高いスピンドル速度の領域から望ましいスピンドル速度に安定性極大部を移動させることが有利である。
【００２１】
安定性極大部は組立体のもっとも優勢な固有振動数または２つのもっとも優勢な固有振動数の組み合わせと一致するので、安定性極大部の移動は、系の固有振動数の移動または調整によって達成できる。構造体の固有振動数を制御するのはその剛性および質量である。一方の端部がスピンドル内に固定して装着され、もう一方の端部が自由なフライスカッター本体では、剛性の概念は、とりわけ、フライスカッター本体の突出長さ、フライスカッター本体の材料の弾性率およびフライスカッター本体の直径を包含する。フライス加工領域では、それを越えることのできないフライスカッター本体の直径、突出長さおよび材料ならびに他のパラメータに対する使用限界が存在する。したがって、本発明は、添付の特許請求の範囲に記載のやり方でフライスカッター本体内の質量分布を移動させることによって、固有振動数を移動または調整する。このようにして、組立体の固有振動数を調整して、例えば、安定性の問題およびびびり振動なしに望ましいスピンドル速度でもっとも深い切削深さを達成する、フライス加工の際に使用可能なスピンドル速度と軸方向切削深さの最適な組み合わせを使用できるように当該のフライス作業の固有振動数を最適化する効率的な方法が達成される。すなわち、本発明によって、チタン、アルミニウム、鋳物または別の材料といった材料の改良されたより効率的で安定なフライス加工が提供され、そこでは先行技術と比較してより効率的なやり方で振動の問題およびびびり振動が回避される。本発明の発明者は試験を実行し、非常に良好な結果を得た。
【００２２】
本発明は、フライスカッター本体内に懸垂され移動または振動が可能な制振質量によってフライス加工の際に発生する振動を制振することまたは制振を調整することを含まない。本発明は、前記質量要素の軸方向調整および軸方向ロックによって装置の固有振動数を移動または調節し、当該のフライス作業の固有振動数を最適化して振動の問題を回避することを含む。
【００２３】
材料の異なる選択による質量／重量、剛性、および質量要素の軸方向長さを変化させて、装置の固有振動数の調整を最適化してもよい。
【００２４】
質量要素とは、ここでは、フライスカッター本体の質量に対するその質量が、フライス作業のような動作の際に、フライスカッター本体、またはフライス工具のようなフライスカッター本体を備えた装置の性能に対して質量要素が定性的な、またはかなりの影響を有するようなものである要素を指す。
【００２５】
フライスカッター本体および１つ以上の切れ刃は１つの同一の部材から形成してもよく、またフライスカッター本体は、１つ以上の切れ刃を有する１つのフライスインサートまたは複数のフライスインサートといった少なくとも１つのフライスインサートを装着する前記装着部材を備えてもよい。先行技術の前記装着部材のいくつかの適切な変形が存在し、いくつかの変形は詳細な説明中に見られる。
【００２６】
本発明に係る装置の有利な実施形態によれば、凹部は２つまたは複数の質量要素を受け入れるのに適しており、各質量要素は、前記調整部材およびロック部材によって軸方向に調整可能であり軸方向にロック可能である。このようにして、装置の固有振動数の調整に関する柔軟性が得られ、当該のフライス作業の固有振動数を最適化するための異なる質量が容易に得られ、それによってフライス加工はさらに改善され、さらに効率的になる。
【００２７】
本発明に係る装置のさらに有利な実施形態によれば、それぞれの質量要素は凹部内に交換可能に配置される。質量要素は、重量がより大きいかまたは小さい質量要素、より剛性が高いかまたは低い質量要素、または軸方向長さがより大きいかまたは小さい質量要素によって交換できるため、このことは装置の固有振動数の調整に関する柔軟性にさらに貢献し、フライス加工はさらに効率的になる。
【００２８】
本発明に係る装置の別の有利な実施形態によれば、それぞれの質量要素は、フライスカッター本体に対するその半径方向移動が防止されるように質量要素を半径方向にロックする、装置内に含まれるロック部材によってフライスカッター本体に対して半径方向にロック可能である。質量要素を半径方向にロックすることによって、本発明者は、装置の固有振動数の最適化がさらに効率的になることを実現した。例えば、質量要素が凹部の内壁に接触するように質量要素の半径方向長さが凹部の内部断面に対応するという事実によって、質量要素の半径方向ロックが達成される。それぞれの質量要素の半径方向ロックのさらなる例は実施形態の詳細な説明中に見られる。
【００２９】
本発明に係る装置の別の有利な実施形態によれば、凹部は軸方向穴を包含する。有利には、軸方向穴はフライスカッター本体の中心に配置される。軸方向穴は、軸方向および半径方向両方の質量要素の効率的なロックと、それぞれの質量要素の軸方向位置の効率的な調整とを提供するので、装置の固有振動数のより効率的な調整と、ひいてはより効率的なフライス加工が得られる。
【００３０】
本発明に係る装置のまた有利な実施形態によれば、軸方向穴は、それぞれの質量要素を出し入れするための第１または第２の端部の開口を備えている。これによって、少なくとも１つの質量要素から生成される質量の効率的な調整と、ひいては装置の固有振動数のより効率的な調整およびより効率的なフライス加工が得られる。
【００３１】
凹部が軸方向穴を包含する、本発明に係る装置の有利な実施形態によれば、前記調整部材は、質量要素と一方の端部との間の軸方向穴内に配置され反対側の端部に向かって質量要素を駆動するのに適した駆動部材と、反対側の端部から質量要素を駆動するため反対側の端部と質量要素との間の軸方向穴の空間を加圧するのに適した加圧部材とを備える。前記駆動部材は、例えば、ばね部材の形態でもよい。質量要素の軸方向位置は、加圧部材が前記空間内の圧力を変化させるという事実によってしかるべく調整され、前記空間内の圧力は、気体状態または液体状態の媒体といった、適切な加圧された媒体によって確立できる。本実施形態によって、フライスカッター本体が回転する正常なフライス作業中に質量要素の軸方向位置を調整でき、このことは装置の固有振動数の調整および最適化を促進し、フライス加工はより効率的になる。
【００３２】
本発明に係る装置のさらに有利な実施形態によれば、前記加圧部材は、液体によって軸方向穴を加圧するのに適している。有利には、この液体は切削ゾーンを冷却するために使用される冷却液の形態であり、同じ管路系が質量要素の調整と切削ゾーンの冷却との両方のために使用されるので、連携された利益が提供される。また、質量要素の軸方向調整のための液体と冷却液とは２つの別個の系によって輸送してもよい。
【００３３】
本発明に係る装置の別の有利な実施形態によれば、駆動部材は第２の端部と質量要素との間に配置されており、前記加圧部材は質量要素と第１の端部との間の軸方向穴の空間を加圧するのに適している。質量要素の調整と切削ゾーンの冷却との両方のために同じ管路系が使用されるためこれは有利な実施形態であり、質量要素の効率的な調整に貢献する。
【００３４】
本発明に係る装置のまた有利な実施形態によれば、前記調整部材は、フライスカッター本体内で固定され軸方向にロックされる第１のねじ付き部材と、質量要素と共にフライスカッター本体に対して軸方向に移動可能な第２のねじ付き部材とを備える。第１および第２のねじ付き部材は互いに係合し、それらの協働によって質量要素はフライスカッター本体に対して軸方向に移動する。このようにして、質量装置の軸方向位置の簡単で効率的な調整が得られ、したがって装置の固有振動数の効率的な最適化および材料の効率的なフライス加工が達成される。それぞれのねじ付き部材は１つ以上のねじの形態でもよい。
【００３５】
前記調整部材がねじ付き部材を備える、本発明に係る装置の有利な実施形態によれば、前記調整部材は凹部内で軸方向に延びるバーを備え、そのバーは第１のねじ付き部材を装置しており、フライスカッター本体内に回転可能に固定されており、フライスカッター本体に対して軸方向に回転可能である。本発明の別の有利な実施形態によれば、軸方向バーは中空で、冷却液を受け入れて第２の端部および／または前記装着部材に輸送し切削ゾーンを冷却するのに適した管路を画定する。このようにして、冷却水の効率的な輸送も達成される。本発明に係る装置のさらに有利な実施形態によれば、質量要素は軸方向バーの回転によって軸方向に移動可能であり、前記ロック部材は、軸方向バーの回転を防止するためフライスカッター本体に対して回転方向に軸方向バーをロックするロック要素を備える。このようにして、質量要素の効率的な軸方向ロックが得られ、フライスカッター本体に対するその軸方向移動が防止される。前記調整部材が軸方向に延びるバーを備える、装置の有利な実施形態によれば、前記調整部材は、それぞれの質量要素を軸方向に厳密に案内し、フライスカッター本体に対する質量要素の回転を防止する案内部材を備え、これはそれぞれの質量要素の効率的な軸方向調整と軸方向ロックにさらに貢献する。
【００３６】
前記調整部材がねじ付き部材を備える、本発明に係る装置のさらに有利な実施形態によれば、凹部の内壁は第１のねじ付き部材を備えている。凹部の内壁が第１のねじ付き部材を備えている時、それぞれの質量要素は有利には第２のねじ付き部材を備えており、それによって第１および第２のねじ付き部材はまた前記ロック部材を構成する。代替的には、第２のねじ付き部材と共にロックワッシャを提供してもよく、ロックワッシャは一方の端部と質量要素との間に装着するのに適しており、質量要素と反対側の端部との間に配置される駆動部材はロックワッシャに向かって質量要素を駆動するのに適しており、それによって質量要素は軸方向にロックされる。
【００３７】
また、前記ロック部材は他のやり方で形成してもよい。フライスカッター本体および質量要素の壁は、質量要素の軸方向ロックを提供するロックピンを受け入れるのに適した協働する周辺開口を備えてもよい。また、質量要素は完全な液圧ロックによってロックしてもよい。
【００３８】
本発明に係る方法の有利な実施形態によれば、２つまたは複数の質量要素が凹部内に配置され、フライスカッター本体に対する各質量要素の軸方向位置が調整され、各質量要素は調整された位置でフライスカッター本体に対してロックされる。このようにして、装置の固有振動数の調整に関する柔軟性が得られ、当該のフライス作業の固有振動数を最適化するための異なる質量を容易に得ることができ、それによってフライス加工が改善されより効率的になる。
【００３９】
本発明に係る方法のさらに有利な実施形態によれば、それぞれの質量要素は凹部内に交換可能に配置される。このようにして、質量要素は上記のように他の特性を有する質量要素によって交換できるので、装置の固有振動数の調整はより柔軟になり、それによってフライス加工はより効率的になる。
【００４０】
本発明に係る方法の別の有利な実施形態によれば、本方法は、それぞれの質量要素が、フライスカッター本体に対するその半径方向移動が防止されるように、装置内に含まれるロック部材によってフライスカッター本体に対して半径方向にロックされることを特徴とする。質量要素を半径方向にロックすることによって、本発明者は、装置の固有振動数の最適化がより効率的になることを発見した。
【００４１】
本発明に係る方法のまた別の有利な実施形態によれば、少なくとも１つの質量要素は、当該のフライス作業のために装置の固有振動数の最適な調整が得られるような質量を形成するようになり、それぞれの質量要素の軸方向位置はそのような位置に調整される。
【００４２】
本発明に係る方法および装置のさらなる利点および有利な実施形態は実施形態の詳細な説明の中に見出される。
【００４３】
ここで、実施形態を使用し添付の図面を参照して本発明を、例示の目的で、より完全に説明する。
【図面の簡単な説明】
【００４４】
【図１】工作機械内に含まれるスピンドル、フライスカッター本体およびフライスインサートを備える装置の安定性図を概略的に示す。
【図２】本発明に係る装置の実施形態を例示する部分断面概略図を示す。
【図３】本発明に係る装置の第１の実施形態のフライスカッター本体を側面から見た部分断面概略斜視図を示す。
【図４】本発明に係る装置の第１の実施形態のフライスカッター本体を側面から見た部分断面概略斜視図を示す。
【図５】図３および図４のフライスカッター本体の第１の端部の部分断面拡大図を示す。
【図６】スピンドルから見た図３及び図４のフライスカッター本体の概略斜視図を示す。
【図７】本発明に係る装置の第２の実施形態のフライスカッター本体の側面から見た部分断面図を示す。
【図８】本発明に係る装置の第３の実施形態のフライスカッター本体の側面から見た部分断面図を示す。
【図９】本発明に係る装置の第４の実施形態のフライスカッター本体の側面から見た部分断面図を示す。
【図１０】本発明に係る方法の態様を例示するフローチャートを示す。
【発明を実施するための形態】
【００４５】
図１は、工作機械内に含まれるスピンドル、フライスカッター本体およびフライスインサートを備える装置の安定性図を概略的に示す。この図は、スピンドル速度の関数として最大許容軸方向切削深さを示すものであり、以下のように解釈される。すなわち、曲線より下にある軸方向切削深さとスピンドル速度との組み合わせが選択される場合、安定性の問題は回避され、曲線より上にあるその組み合わせが選択される場合、振動レベルが制御不能な形で増大する。図から見られるように、適切に選択されたスピンドル速度と不適切に選択されたスピンドル速度との間の差は大きいことがあり、あるフライス作業の際に、スピンドル速度のわずかな調整によって軸方向切削深さが２倍になることがある。しかし、問題は、装置のスピンドル速度の制限のため、またはスピンドル速度を増大して切削速度を増大すると切削ゾーンの温度が上昇し、工具の摩耗を早めるために、スピンドル速度を変更して望ましい安定性極大部１０２、１０４、１０６、１０８に達することが必ずしも可能ではないことである。また、上述のように、回転数が高いほど安定性極大部１０２、１０４、１０６、１０８は高くかつ幅広くなるので、安定性極大部１０２、１０４、１０６、１０８を高い回転数の領域から望ましい回転数に移動させることが有利である。安定性極大部は組立体の１次固有振動数または２つの１次固有振動数の組み合わせと一致するので、安定性極大部の移動は、装置の固有振動数の移動または調整によって達成できる。本発明者は、本発明に係るフライスカッター本体の質量分布をずらすことが装置の固有振動数を調整する効率的な方法であることを発見しており、以下の説明で、これを実行するいくつかの実施形態を説明する。
【００４６】
図２は、本発明に係る、例えば、チタン、アルミニウム、鋳物または別の材料といった材料２２０のフライス加工のための装置の実施形態を例示する概略図である。切り屑を除去する金属機械加工のための工具、より正確にはフライスカッターの形態の本実施形態に係る装置は、第１の端部２０４と反対側の第２の端部２０６とを有する、例えば鋼の細長いフライスカッター本体２０２を含み、このフライスカッター本体２０２は第１の端部２０４で回転可能なスピンドル２０８に装着可能であり、スピンドル２０８は装置の固定部分２１０に回転可能に装着されるので、フライスカッター本体２０２はスピンドル２０８と共に回転可能になる。第２の端部２０６では、フライスカッター本体２０２は、フライスカッター本体２０２の外周上のこの目的のためのポケットの中に少なくとも１つのフライスインサート２１４、または歯、を装着するための装着部材２１２を備えている。ここでは、フライスインサート２１４は２つの切れ刃２１３、２１５を有しており、したがって２つの異なる動作位置に割り出し可能であるが、１つのみまたは２つより多い切れ刃を備えてもよい。実際には、フライスインサートは普通、大きな硬度と耐摩耗性を有する超硬合金または別の同等の材料から製造される。本発明の実施形態によれば、装着部材は、雄ねじを有し、フライスインサート内の中心穴を通過してポケット内の雌ねじを切った穴によって受け入れられ、それと係合することを意図した従来の固定ねじを含む。本発明の別の実施形態によれば、装着部材は、ポケット内にフライスインサートを固定するためのクランプを含む。
【００４７】
後述のフライスカッター本体も同様であるが、フライスカッター本体２０２は第１および第２の端部２０４、２０６を通じて延びる長手方向軸ｘ−ｘを画定し、フライスカッター本体２０２は、軸方向穴２１６と質量要素２１８とを備えている。質量要素２１８は、例えばタングステン合金であるＤｅｎｓｉｍｅｔ（登録商標）、または高密度の別の材料から製造され、軸方向穴２１６の中に配置されて、フライスカッター本体の質量に対して相当な質量を構成する。質量要素の密度はフライスカッター本体の密度より高いことも低いこともあると言える。質量要素２１８の質量は、当該の系、すなわち機械のスピンドルに装着されたフライス工具の固有振動数および固有モードを考慮して適切に選択される。代替的には、質量要素の質量は、フライス工具の特性だけを考慮して選択してもよい。図２では、ａpはフライス加工すべき材料または加工物２２０の軸方向切削深さを例示する。
【００４８】
本発明の実施形態に係る装置のいくつかの実施形態の、付属の軸方向穴および質量要素を含むフライスカッター本体を以下より詳細に説明する。それぞれのフライスカッター本体は、第１の端部で、図２に示すようにスピンドルに装着するのに適している。
【００４９】
図３〜図６は、本発明に係る装置の第１の実施形態の細長いフライスカッター本体３０２を含む、切り屑を除去する金属機械加工のためのフライス工具を概略的に示す。フライスカッター本体３０２は、第２の端部３０４に、フライスカッター本体３０２の外周上のポケットの中に刃の付いたフライスインサート３１０を装着するための装着部材３０６を備えている。ここでは、フライスインサート３１０は２つの切れ刃３０７、３０９を備えており、したがって２つの異なる動作位置に割り出し可能であるが、１つのみまたは２つより多い切れ刃を備えてもよい。フライスインサート３１０のための装着部材３０６は従来の設計を有し、この場合、フライスインサート３１０内に配置されたくぼみと係合するのに適しており、例えば、ねじによって、フライスカッター本体３０２内のポケットの底面の固定穴開口内に固定される固定要素３０６を包含する。フライスカッター本体３０２は、フライスカッター本体３０２の長手方向軸ｘ−ｘに沿って延びる中心軸方向穴３１４を備えている。軸方向穴３１４は、装置の固有振動数がフライスカッター本体３０２に対する質量要素３１６、３１８、３２０の軸方向位置に依存するように、フライスカッター本体の質量に対して相当な質量、または相当な重量を共に構成する複数の質量要素３１６、３１８、３２０を受け入れるのに適している。質量要素３１６、３１８、３２０の質量は、当該の系、すなわち機械のスピンドルに装着されたフライス工具の固有振動数および固有モードを考慮して適切に選択される。代替的には、質量要素の質量は、フライス工具の特性だけを考慮して選択してもよい。質量要素の質量が無視できる、または非常に小さいものであることは、質量要素の軸方向位置を変えても装置の固有振動数が大きく影響されないことを意味するので、避けるべきである。軸方向穴３１４は、それぞれの質量要素３１６、３１８、３２０を出し入れするための第１の端部３２４の開口３２２を備えており、開口３２２は、フライスカッター本体３０２に固定される締め付けカバー３２６によって閉鎖可能である。
【００５０】
本実施形態は、軸方向穴３１４の中で軸方向に延びるラック３２８を含む調整部材を備えている。ラック３２８はその長手方向軸ｘ−ｘに沿って回転可能であるが、これはフライスカッター本体３０２の長手方向軸ｘ−ｘと一致しており、フライスカッター本体３０２に対して軸方向に回転可能である。ラック３２８の第１の端部３３０は締め付けカバー３２６に回転可能に取り付け可能であり、その第２の端部３３２はフライスカッター本体３０２の第２の端部３０４に回転可能に固定される。前記調整部材は第１のねじ付き部材３３４を含むが、これはラック３２８上に配置され、それによって前記第１のねじ付き部材３３４がフライスカッター本体３０２内で固定され、軸方向にロックされる従来のねじの形態のものである。それぞれの質量要素３１６、３１８、３２０は中心貫通穴を備えており、穴の内壁は前記調整部材の第２のねじ付き部材３３６を備えているので、第１および第２のねじ付き部材３３４、３３６は互いに係合しそれらの協働によってそれぞれの質量要素３１６、３１８、３２０をフライスカッター本体３０２に対して軸方向に移動させるのに適している。また、前記調整部材は、それぞれの質量要素３１６、３１８、３２０を軸方向に厳密に案内し、フライスカッター本体３０２に対する質量要素３１６、３１８、３２０の回転を防止するのに適した案内部材を備える。前記案内部材は、少なくとも１つの溝３３８、３４０と溝３３８、３４０と相補的な案内要素３４２、３４４とを備え、溝３３８、３４０の中でそれらに対して軸方向に移動可能である。本実施形態では、案内部材は、軸方向穴３１４の内壁に配置され、各々質量要素３１６、３１８、３２０上に固定された案内要素３４２、３４４と係合するのに適した２つの対向する軸方向溝３３８、３４０を包含する。上記の調整部材によって、ラック３２８の回転によってフライスカッター本体３０２に対して軸方向に調整可能な質量要素３１６、３１８、３２０が得られる。一方の回転方向へのラック３２８の回転によってそれぞれの質量要素３１６、３１８、３２０はフライスカッター本体３０２に対して端部３０４、３２４の一方に向かって軸方向に移動し、もう一方の回転方向へのラック３２８の回転によって質量要素３１６、３１８、３２０は反対側の端部３０４、３２４に向かってフライスカッター本体３０２に対して軸方向に移動するので、フライスカッター本体３０２の質量分布が調整され、その結果、装置の固有振動数が調整される。それぞれの質量要素３１６、３１８、３２０は軸方向穴３１４内に交換可能に配置されている。ラック３２８は中空であり、冷却液を受け入れてフライスインサート３１０および切削ゾーンに輸送するのに適した管路３４５を画定する。
【００５１】
第１の実施形態は、質量要素３１６、３１８、３２０を軸方向にロックするためのロック部材を含み、質量要素３１６、３１８、３２０は、フライス作業の際にフライスカッター本体３０２に対するその軸方向移動が防止されるように、フライスカッター本体３０２に対して軸方向にロックされる。軸方向ロックのためのロック部材は、ラック３２８の第１の端部に固定された端部要素３４６を含み、端部要素３４６は、凹部を画定しラック３２８の軸ｘ−ｘと一致する中心軸を画定する壁３４８を有する。端部要素３４６の凹部は非円形の断面を有する。端部要素３４６の壁３４８は、例えば、六角形の内部断面を画定してもよい。軸方向ロックのためのロック部材はさらに、締め付けカバー３２６内に配置され端部要素３４６を受け入れる開口と、締め付けカバー内３２６内の２つの外側くぼみ３５０とを含み、くぼみ３５０は有利には端部要素３４６の各側に互いに対向して位置してもよい。最後に、ロック部材は、くぼみ３５０と相補的でそれと係合するのに適した２つの周辺ロックピン３５４、３５６と、端部要素３４６の壁３４８によって画定される凹部と相補的でそれと係合するのに適した中心ロックピン３５８とを備えたピン付き要素３５２を含む。それぞれ凹部およびくぼみ３５０との前記ロックピン３５４、３５６、３５８の係合によって、ラック３２８はフライスカッター本体３０２に対して回転方向でロックされ、ラック３２８の回転が防止される。質量要素３１６、３１８、３２０の軸方向調整と軸方向ロックによって、装置の固有振動数は当該フライス作業のために最適化される。ラック３２８を回転させるため、端部要素３４６の凹部と係合するのに適した工具が有利には使用され、工具が回転する。
【００５２】
互いに係合する第１および第２のねじ付き部材３３４、３３６の形態のロック部材によって、それぞれの質量要素３１６、３１８、３２０は、それぞれの質量要素３１６、３１８、３２０のフライスカッター本体３０２に対する軸方向移動が防止される、すなわち、軸ｘ−ｘに対して垂直な移動が防止されるように、フライスカッター本体３０２に対して半径方向にロック可能である。また、それぞれの質量要素３１６、３１８、３２０の外周は有利には軸方向穴３１４の内壁に接触してもよい。
【００５３】
図７は、本発明に係る装置の第２の実施形態のフライスカッター本体を示すが、そこではフライスカッター本体４０２は中心軸方向穴４０４を備えている。本実施形態は、第１のねじ付き部材４０６を含む調整部材を有するが、これは軸方向穴４０４の内壁上に配置され、それによってフライスカッター本体４０２内で固定され軸方向にロックされる従来の雌ねじの形態のものである。前記調整部材は、軸方向に移動可能なワッシャ４１０の外周に配置された従来のねじの形態の第２のねじ付き部材４０８と、ねじ付きワッシャ４１０とフライスカッター本体４０２の第２の端部４１１との間に配置される螺旋圧縮ばね４１２とを含み、第２の端部４１１にはフライスカッター本体４０２の外周に刃の付いたフライスインサート４１８を装着するためのフライスカッター本体の装着部材４１４が配置される。本実施形態の装着部材４１４は第１の実施形態の装着部材と同様である。ワッシャ４１０とばね４１２との間に、本実施形態の質量要素４２２が配置される。質量要素４２２は、軸方向穴４０４の内部断面に対応する平滑なエンベロープ表面と半径方向長さを有する。ばね４１２は、ワッシャ４１０に向かって、フライスカッター本体４０２が装置のスピンドルに装着可能なフライスカッター本体の第１の端部４２４の方向に質量要素４２２を駆動するのに適している。第１および第２のねじ付き部材４０６、４０８は互いに係合し前記ばね４１２の動作との協働によって質量要素４２２をフライスカッター本体４０２に対して軸方向に移動させるのに適している。本実施形態のロック部材は、第１および第２のねじ付き部材４０６、４０８ならびにばね４１２を含み、これらは共に質量要素４２２を調整された位置でフライスカッター本体４０２に対してロックする。ワッシャ４１０は、ワッシャ４１０の回転によって質量要素４２２の軸方向位置およびひいては装置の固有振動数が調整されるように工具が係合するのに適した、例えば、六角形の内部断面を有する凹部を備えている。
【００５４】
第２の実施形態を出発点として、軸方向穴の内壁の雌ねじを、第１の実施形態のラック、中心凹部内の雌ねじを備えたワッシャ、および第１の実施形態の場合と同様に配置された、質量要素を軸方向に厳密に案内する案内部材によって置換することによって追加の実施形態を形成してもよい。
【００５５】
図８は、本発明に係る装置の第３の実施形態のフライスカッター本体５０２を示すが、そこでは、フライスカッター本体５０２の第１の端部５０６から、フライスカッター本体５０２の外周に切れ刃を有するフライスインサート５１４を装着するためのフライスカッター本体の装着部材５１０が配置される第２の端部５０８まで、本質的に軸方向長さ全体に沿って、フライスカッター本体５０２の軸方向穴５０４は、第１のねじ付き部材５１８を構成する雌ねじ５１８を備えている。第１のねじ付き部材５１８と共に調整部材およびロック部材を構成する第２のねじ付き部材５２０は、雄ねじ５２０の形態で質量要素５２２の外周に配置されている。質量要素５２２は、質量要素５２２の回転によってその軸方向位置およびひいては装置の固有振動数が調整されるように工具が係合するのに適した、例えば六角形の内部断面、または別の非円形断面を有するへこみ５２４を備えている。
【００５６】
図９は、本発明に係る装置の第４の実施形態のフライスカッター本体６０２を示すが、そこでは、フライスカッター本体６０２はその第１の端部６０４で回転可能なスピンドルに装着可能であり、その第２の端部６０６で、フライスカッター本体６０２の外周に切れ刃を有するフライスインサート６１２を装着するための装着部材６０８を備えている。フライスカッター本体６０２内に配置された軸方向穴６１６の中に、質量要素６１８が配置され、またここには、軸方向穴６１６の内部断面に対応する平滑なエンベロープ表面と半径方向長さを有するので、質量要素６１８は、フライスカッター本体６０２に対するその半径方向移動が防止されるように半径方向にロックされる。本実施形態の調整部材は、質量要素６１８と第２の端部６０６との間に配置され、第１の端部６０４に向かって質量要素６１８を駆動するのに適した螺旋圧縮ねじ６２０の形態の駆動部材を含む。調整部材はさらに、第１の端部６０４からばね６２０および第２の端部６２０に向かって質量要素６１８を駆動するため第１の端部６０４と質量要素６１８との間の軸方向穴６１６の空間６２３を加圧するのに適した加圧ユニット６２２の形態の加圧部材を含む。加圧ユニット６２２は、切削ゾーンを冷却するためにさらに使用される冷却液６２４によって軸方向穴を加圧するのに適している。加圧ユニット６２２は、軸方向穴６１６に接続された少なくとも１つの弁６２６と、弁を制御し、ひいては軸方向穴６１６への冷却液の流入を制御して、第１の端部６０４と質量要素６１８との間の空間６２３の加圧を制御する制御装置６２８とを含む。
【００５７】
図７〜図９の実施形態のフライスインサート４１８、５１４、６１２は、図３〜図６に係る実施形態に記載のものと同様の切れ刃を備えてもよい。
【００５８】
上記の実施形態では、質量要素は軸方向穴の中に交換可能に配置されており、それぞれの装置の固有振動数を効率的に最適化するため、それぞれの質量要素は、重量がより大きいかまたは小さい質量要素、より剛性が高いかまたは低い質量要素、または軸方向長さがより大きいかまたは小さい質量要素によって交換してもよく、それによってフライス加工はより効率的になる。
【００５９】
上記の調整部材は、凹部の中のそれぞれの質量要素を第１の位置と第２の位置との間で軸方向に調整し、移動させるのに適しており、第１および第２の位置の間の質量要素の移動距離は、質量要素の移動による装置の固有振動数の効率的な調整のためフライスカッター本体の軸方向長さに対して十分に大きい。前記移動距離の大きさは、各固有の系、例えば、フライス工具、スピンドルおよび機械がどのように構成されているかに依存する。フライスカッター本体の合計軸方向長さに対する移動距離が無視できる、または非常に小さいものであることは、質量要素の軸方向位置を変えても装置の固有振動数が大きく影響されないことを意味するので、避けるべきである。有利な実施形態によれば、例えば、移動距離はフライスカッター本体の合計軸方向長さの少なくとも１／１０でもよい。
【００６０】
少なくとも１つの質量要素は、質量要素の軸方向調整によって装置の固有振動数を効率的に調整するためフライスカッター本体の合計質量／重量に対して十分に大きい質量／重量を形成するのに適している。適切な質量要素の質量は、各固有の系、例えば、フライス工具、スピンドルおよび機械がどのように構成されているかに依存する。質量要素の質量が、フライスカッター本体の質量に対して無視できる、または非常に小さいものであることは、質量要素の軸方向位置を変えても装置の固有振動数が大きく影響されないことを意味するので、避けるべきである。有利な実施形態によれば、例えば、少なくとも１つの質量要素は、フライスカッター本体の合計重量の少なくとも１／２０の質量を形成するものでもよい。
【００６１】
図１０は、本発明に係る材料をフライス加工する方法の態様を例示するフローチャートを示すが、そこでは加圧部材を含む上記の装置の第４の実施形態が利用されており、本方法は以下のステップを含む。７０１では、フライスカッター本体が第１の端部で回転可能なスピンドルに装着される。７０２では、フライスカッター本体の質量に対して相当な質量を構成する１つ以上の質量要素が、フライスカッター本体の軸方向穴の中に配置されるが、質量要素は軸方向穴の中に交換可能に配置される。質量要素の半径方向長さが軸方向穴の内部断面に対応するという事実から、質量要素は軸方向穴に挿入され受け入れられているので、質量要素はフライスカッター本体に対して軸方向にロックされているため、フライスカッター本体に対する質量要素の軸方向移動が防止される。７０３では、装置の固有振動数を調整するため、質量要素と第１の端部との間の空間内の液体圧力を減少または増大することによって、フライスカッター本体に対する質量要素の位置が調整され、その結果、質量要素は第１の位置から第２の位置まである移動距離だけ移動する。第１および第２の位置の間の質量要素の移動距離は、質量要素の移動（上記の範囲を指す）によって装置の固有振動数を最適に調整するためフライスカッター本体の軸方向長さに対して十分に大きい。７０４では、装置内に含まれるロック部材によって、質量要素は調整された位置でフライスカッター本体に対して軸方向にロックされており、そこでは軸方向ロックとは、当該フライス作業のため装置の固有振動数を最適化するため、フライスカッター本体に対する質量要素の軸方向移動が防止されることを意味している。その後、７０５では、最適な組み合わせの軸方向切削深さとスピンドル速度でフライス作業が開始される。少なくとも１つの質量要素は、当該のフライス作業のため装置の固有振動数の最適な調整（上記の範囲を指す）が得られるような質量を形成するようになる。必要な場合、７０６では、質量要素と第１の端部との間の空間内で、質量要素の軸方向位置を調整する手段である液体圧力を増大または減少することによって、装置の固有振動数を動作中に調整してもよい。
【００６２】
本発明は上記で例示した実施形態に制限されると見なすべきではなく、添付の特許請求の範囲内で様々に修正および変更してもよい。
【００６３】
したがって、上記の実施形態ではフライス工具は１つのフライスインサートを備えたフライスカッター本体としてだけ記載されているが、例えば、交換可能なフライスインサートである、複数のフライスインサートを有するフライス工具に本発明を応用することも可能である。この場合、複数のフライスインサートは、接線方向に間隔を有してもよいが、フライスカッター本体の異なる軸方向レベルに配置してもよい。さらに、フライスカッター本体と、本体に脱着可能に接続されそのため交換可能であり、その場合必要な刃先が含まれるヘッドといった、２つの部分から構成される種類のフライス工具に本発明を応用することも可能である。
【図１】
2010269444.tif 000003
【図２】
2010269444.tif 000004
【図３】
2010269444.tif 000005
【図４】
2010269444.tif 000006
【図５】
2010269444.tif 000007
【図６】
2010269444.tif 000008
【図７】
2010269444.tif 000009
【図８】
2010269444.tif 000010
【図９】
2010269444.tif 000011
【図１０】
2010269444.tif 000012